(57)【特許請求の範囲】
【請求項１】
周囲が枠材により画成され、パネルの実質的に全周がこれに対応するガスケットを介して前記枠材に対して保持された外壁の構造において：
前記枠材のうち縦枠の少なくとも一方は、方立とその側部に係止される押縁とにより形成され、
前記方立には、室内側から少なくともパネルの外周端面に対応する離間した位置まで延在する支持壁部と、この支持壁部から前記枠材で囲まれる領域の内方に突出して前記外周端面側に向かう係合部とが形成され、
前記押縁には、パネルに対応してパネルの周囲の室内側に離間した位置に受け部が形成され、
前記ガスケットは、枠材とパネルの外周部との間に介在され、前記パネルの外周部が嵌合する係止溝部と、前記受け部に当接する耐圧部と、前記係合部と係合する係合溝部とを有し、
前記ガスケットの係止溝部内にパネルの外周が嵌入され、前記係合溝部に前記枠材の係合部が係合され、前記耐圧部が前記受け部に当接され、
前記方立の支持壁部を挟んで前記押縁の反対側において方立カバーが前記方立に係止され、
前記方立カバーは、室外側において、前記ガスケットの室外側側面に当接する当たり部を有する、
ことを特徴とする外壁におけるパネルの保持装置。
【請求項２】
前記方立カバーの室外側部分は室外に露出して化粧部材としてある請求項１記載の外壁におけるパネルの保持装置。
【発明の詳細な説明】
【０００１】
【産業上の利用分野】
本発明は、外壁におけるパネル、たとえばガラス板の保持装置に関する。特に、本発明はカーテンウォールにおいて好適に使用できる。
【０００２】
【従来の技術】
近年、カーテンウォールにおいては、窓枠またはパネル枠が目立たず、全体がガラスまたはパネルのみにより構成されているように見える構造のものが、より好まれる傾向にある。
【０００３】
このためには、枠材を可能な限り細くする努力がなされているものの、ガラスの保持部材として必要な強度の面から限界があるために、いわゆるＳＧシール方式によるもののほか、本出願人の提案に係る、特開平６−２２０９３９号公報に記載されている、ガラスの保持態様を工夫したものなどが知られている。
【０００４】
他方で、パネルを隣接配置し、パネルの背面側を保持する枠材に対して、ガスケットを室外側から嵌入して、枠材の室外面をガスケットにより隠すことにより、あたかも枠材が存在せず、ガラスのみで外壁が構成されているように見せるものが、特開平２−１８３０７８号、同２−１９０５４８号、同３−８７４４５号公報により提案されている。
【０００５】
これらの技術においては、必ずしもパネルを安定して保持でき難いことに鑑み、本出願人は、特開平８−１７０３９１号公報に記載のパネル保持形態を提案した。
【０００６】
【発明が解決しようとする課題】
しかし、出隅や入隅部分、さらには外壁の端部におけるパネル保持形態まで考慮したものではなかった。
【０００７】
したがって、本発明の主たる課題は、かかる部位においても、ガラスなどのパネルを安定して保持できる保持装置を提供することにある。
【０００８】
【課題を解決するための手段】
上記課題を解決した本発明の請求項１記載の発明は、周囲が枠材により画成され、パネルの実質的に全周がこれに対応するガスケットを介して前記枠材に対して保持された外壁の構造において：
前記枠材のうち縦枠の少なくとも一方は、方立とその側部に係止される押縁とにより形成され、
前記方立には、室内側から少なくともパネルの外周端面に対応する離間した位置まで延在する支持壁部と、この支持壁部から前記枠材で囲まれる領域の内方に突出して前記外周端面側に向かう係合部とが形成され、
前記押縁には、パネルに対応してパネルの周囲の室内側に離間した位置に受け部が形成され、
前記ガスケットは、枠材とパネルの外周部との間に介在され、前記パネルの外周部が嵌合する係止溝部と、前記受け部に当接する耐圧部と、前記係合部と係合する係合溝部とを有し、
前記ガスケットの係止溝部内にパネルの外周が嵌入され、前記係合溝部に前記枠材の係合部が係合され、前記耐圧部が前記受け部に当接され、
前記方立の支持壁部を挟んで前記押縁の反対側において方立カバーが前記方立に係止され、
前記方立カバーは、室外側において、前記ガスケットの室外側側面に当接する当たり部を有する、
ことを特徴とする外壁におけるパネルの保持装置である。
【０００９】
請求項２記載の発明は、前記方立カバーの室外側部分は室外に露出して化粧部材としてある請求項２記載の外壁におけるパネルの保持装置である。
【００１０】
他の実施の態様１として、周囲が枠材により画成され、パネルの実質的に全周がこれに対応するガスケットを介して前記枠材に対して保持された外壁の出隅部の構造において、
少なくとも一個所において、隣接するパネルがそれぞれのガスケットを介して共通の縦枠によって保持され、
前記縦枠は、相互に離間する各パネルの保持部と、これらの保持部における一方のガスケットと他方のガスケットとの離間部分の室外側面においてカバーが止着される止着部とを有し、
前記止着部は、離間部分両端部において形成されたそれぞれ縦通しのリップ溝部であり、これらのリップ溝部に前記カバーの幅方向両端部裏面に突出して縦通しで形成された脚部が係合し、前記カバーが、前記保持部相互の離間部分の実質的全体に渡って前記縦枠外面を覆って前記縦枠に止着される構成とされ、
前記両ガスケットと前記カバーは外壁の外面を構成し、相互の境界面が当接している、
ことを特徴とする外壁における出隅部のパネルの保持装置も提案できる。
【００１１】
また、他の実施の態様２として、前記枠材は、パネルに対応して、パネルの周囲の室内側に離間した位置に形成された受け部と、室内側から少なくともパネルの外周端面に対応する離間した位置まで延在する支持壁部と、この支持壁部から前記枠材で囲まれる領域の内方に突出して前記外周端面側に向かう係合部とを一体的にそれぞれ有し、
前記ガスケットは、枠材とパネルの外周部との間に介在され、前記パネルの外周部が嵌合する係止溝部と、前記受け部に当接する耐圧部と、前記係合部と係合する係合溝部とを有し、
前記ガスケットの係止溝部内にパネルの外周が嵌入され、前記係合溝部に前記枠材の係合部が係合され、前記耐圧部が前記受け部に当接されている外壁におけるパネルの保持装置も提案できる。
【００１２】
さらに、他の実施の態様３として、周囲が枠材により画成され、パネルの実質的に全周がこれに対応するガスケットを介して前記枠材に対して保持された外壁の構造において：
前記枠材は、パネルに対応して、パネルの周囲の室内側に離間した位置に形成された受け部と、前記枠材で囲まれる領域の内方に突出してパネルの外周端面側に向かう係合部とを一体的にそれぞれ有し、
前記ガスケットは、枠材とパネルの外周部との間に介在され、前記パネルの外周部が嵌合する係止溝部と、前記受け部に当接する耐圧部と、前記係合部と係合する係合溝部とを有し、
前記ガスケットの係止溝部内にパネルの外周が嵌入され、前記係合溝部に前記枠材の係合部が係合され、前記耐圧部が前記受け部に当接されており；
少なくとも入隅部において、隣接するパネルがそれぞれのガスケットを介して共通の縦枠によって保持され、
前記縦枠は、対応するガスケットの側面の室外側部分を支える実質的に前記パネルの縦断面方向に延びて通しの反力部をそれぞれ有し、
これらの反力部に当接された各ガスケットの外面が実質的に隙間を有しないで配設されている、
ことを特徴とする外壁におけるパネルの保持装置も提案できる。
【００１３】
【作用】
本発明においては、周囲が枠材により画成され、パネルの実質的に全周がこれに対応するガスケットを介して前記枠材に対して保持された外壁の構造である点において、従来例と共通する。また、ガスケット自体の形状は、特開平８−１７０３９１号公報記載のものとも共通する。
【００１４】
しかるに、特に出隅において好適に採用される請求項１記載の発明においては、隣接するパネルをそれぞれのガスケットを介して共通の縦枠によって保持するようにしてある。この縦枠は、相互に離間する各パネルの保持部と、これらの保持部の離間部分においてカバーが止着される止着部とを有し、前記カバーは、前記保持部相互の離間部分の実質的全体に渡って前記縦枠外面を覆って前記縦枠に止着されている形態である。
【００１５】
その結果、前記両ガスケット間に前記カバーが存在するので、枠材は外部から見えず、ガスケットおよびカバーのみでパネルを保持していると外部から見え、意匠的に優れた外壁を構成できる。
【００１６】
前記止着部を、前記離間部分両端部において形成されたそれぞれ縦通しのリップ溝部として形成し、これらのリップ溝部に前記カバーの幅方向両端部裏面に突出して縦通しで形成された脚部を係合することにより、カバーを安定して止着できる。
【００１７】
さらに、前記両ガスケットと前記カバーは外壁の外面を構成し、相互の境界面が当接していると、ガスケットとカバーの側部が凭れ合う形態となり、特にガスケットが安定して保持される。
【００１８】
本発明における枠材は、パネルの周囲の室内側に離間した位置に形成された受け部と、室内側から少なくともパネルの外周端面に対応する離間した位置まで延在する支持壁部と、この支持壁部から枠材で囲まれる領域の内方に突出して前記外周端面側に向かう係合部とを一体的に有する。
【００１９】
さらに、ガスケットは、好適には比較的高い剛性を有するが若干の変形が可能である材料からなり、枠材とパネルの外周部との間に介在され、前記パネルの外周部が嵌合する係止溝部と、前記受け部に当接する耐圧部と、前記係合部と係合する係合溝部と、望ましくは室外側面に形成されたジッパー嵌入溝とを有し、前記ガスケットの係止溝部内にパネルの外周が嵌入され、前記係合溝部に前記枠材の係合部が係合され、前記耐圧部が前記受け部に当接され、好適には前記ジッパー嵌入溝内にジッパーが嵌入されている。
【００２０】
したがって、ガラスの面方向の移動は、ガスケットが枠材の支持壁部に当接することで防止される。また、枠材に受け部が形成されているので、正圧作用時において、受け部においてガスケットの耐圧部を支承できる。しかも、受け部の外に、係合部が枠材で囲まれる領域の内方に突出して形成されている結果、その受け部においても支承でき、２つの受け部が存在するために安定して支承できる。
【００２１】
係合部は正圧に対して支持するほか、負圧の作用時において、ガスケットが外れるのを防止する。
【００２２】
さらに、ガスケットは、望ましくは比較的高い剛性を有するものの、枠材に対して係合するために若干の変形が可能である材料からなる。このことは、逆に、負圧作用時において、ガスケットが枠材から外れ易いことを意味する。しかるに、本発明では、ジッパー嵌入溝をガスケットの室外側面に形成し、これにジッパーを嵌入するようにしたから、ガスケットの室外側部分の撓みが阻止され、結果として、ガスケットの変形が防止され、枠材からの抜け止めを図ることができる。
【００２３】
かくして、面状体を支持するガスケットが一つの対応する枠材に対して、面状体に作用する正負圧の両者に対抗するように取り付けられているので、従来例のように補助枠材を必要とせず、施工性および経済性の面でも優れたものとなる。
【００２４】
パネル外壁が大きくなると、方立を多数本立設する必要がある。この場合、場所ごとに形状が異なる方立を用意するのは、経済的でないし、かつ施工能率も低下させる。そこで、方立は可能な限り共通のものを用いることができる。
【００２５】
そこで、請求項２記載の発明においては、方立に対して押縁を用意し、場所ごとに必要な機能を形状にもたせた押縁を用いることとしている。
【００２６】
すなわち、請求項２記載の発明においては、前記枠材のうち縦枠の少なくとも一方は、方立とその側部に係止される押縁とにより形成し、
前記方立には、室内側から少なくともパネルの外周端面に対応する離間した位置まで延在する支持壁部と、この支持壁部から前記枠材で囲まれる領域の内方に突出して前記外周端面側に向かう係合部とを形成し、前記押縁には、パネルに対応してパネルの周囲の室内側に離間した位置に受け部を形成した。このように、縦枠を方立と押縁とに区分しても、押縁が方立に係止固定される限り、組み上げ状態においては一体物として機能するので、ガスケットを安定して保持できる。
【００２７】
押縁は、部位によって適宜の部材の固定用部材として利用できる。押縁は方立に比較して、薄肉とすることができるから、前記適宜の部材の固定用ビスのタップ加工などを簡単に行うことができる。
【００２８】
外壁の端部において、かかる構成を好適に採用することができる。この場合、前記方立の支持壁部を挟んだ前記押縁の反対側においては、方立カバーを前記方立に係止しておき、方立カバーは、室外側において、前記ガスケットの室外側側面に当接する当たり部を有するものとすることができる。かくして、方立カバーにより方立を隠すことができるとともに、前記当たり部の存在によってガスケットを安定して保持できる。
【００２９】
さらに、この方立カバーの室外側部分は室外に露出して化粧部材とすることができる。
【００３０】
入隅部においては、他の実施の態様２記載の発明の構成を採用できる。すなわち、前記枠材は、パネルに対応して、パネルの周囲の室内側に離間した位置に形成された受け部と、前記枠材で囲まれる領域の内方に突出してパネルの外周端面側に向かう係合部とを一体的にそれぞれ有し、
前記ガスケットは、枠材とパネルの外周部との間に介在され、前記パネルの外周部が嵌合する係止溝部と、前記受け部に当接する耐圧部と、前記係合部と係合する係合溝部とを有し、
前記ガスケットの係止溝部内にパネルの外周が嵌入され、前記係合溝部に前記枠材の係合部が係合され、前記耐圧部が前記受け部に当接されており；
少なくとも入隅部において、隣接するパネルがそれぞれのガスケットを介して共通の縦枠によって保持され、
前記縦枠は、対応するガスケットの側面の室外側部分を支える実質的に前記パネルの縦断面方向に延びて通しの反力部をそれぞれ有し、
これらの反力部に当接された各ガスケットの外面が実質的に隙間を有しないで配設されている、構成とすることができる。
【００３１】
したがって、各ガスケットは、前記反力部において側面が保持されるのでその保持が安定化し、しかも、これらの反力部に当接された各ガスケットの外面が実質的に隙間を有しないで配設できるので、縦枠は外部から見えず、ガスケット相互が一体化してパネルを保持していると外部から見え、意匠的に優れた外壁を構成できる。
【００３２】
【発明の実施の形態】
以下本発明を図面を参照しながら実施例によりさらに詳説する。この説明において、まず、幾つかの基本例を説明した後に、それらに対応した具体例について説明する。
【００３３】
（第１の実施の形態）
図１は、出隅部における第１の実施の形態を示した水平断面図であり、パネル例としてのガラス１０，１０が直交して配置されている。これらのガラスの四周囲は、縦横の枠材（水平断面図であるために、横枠材は図１には示されていない）に対して、ガスケット３０，３０を介して保持されている。
【００３４】
図示例においては、縦枠としては、主方立２００とこれに固定されたガラス１０を直接保持ための補助方立２０とで構成されている。これに対して、出隅部において横枠材を構成する無目４０，４０が直交的に配置されている。
【００３５】
一方のガラス１０たとえば図１の水平方向のガラス１０が存在する中間外壁は、図２〜図４に示すたとえばフィックス構造の中間外壁とされている。この中間外壁には、適宜開き窓を構成することができるが、その形態は例示していない。
【００３６】
例示の中間外壁においては、方立５０の延在部分に押縁６０を係止固定し、その押縁６０を縦枠としてガラス１０を固定したものである。
【００３７】
次に、補助方立２０およびガスケット３０の形状について、拡大して図示した図５を参照して説明する。
【００３８】
補助方立２０は、基本的には横断面方形の主体部２６と、繋ぎ部２７と、この繋ぎ部２７の先端において各種の係止部を有する方形の延在部を有した形状をなしている。
【００３９】
主体部２６の室外側端部両側の２か所から受け部２１，２１が、ガラス１０の周囲の室内側に離間した位置にまで突出して形成されており、さらに繋ぎ部２７の室外側端部から分岐して少なくともガラス１０，１０の外周端面に対応する離間した位置まで延在する支持壁部２２，２２が形成され、これらの支持壁部２２，２２から枠材で囲まれる領域の内方に突出して前記外周端面側に向かう係合部２３，２３が形成されている。
【００４０】
係合部２３は、支持壁部２２より交差してガラス方向に突出し、その先端に室内外方向に延びるフック片２５が形成されている。フック片２５は、係合部２３に対してＴ字状に形成されており、その室内側部分を第１フック部２５Ａ、室外側部分を第２フック部２５Ｂと称する。第２フック部２５Ｂの先端には、ガラス１０と離れる方向にわずかに突出するリップ部２５Ｃが形成されている。
【００４１】
ガスケット３０は、比較的高い剛性を有するが若干の変形が可能である材料からなる。この材料の例として、クロロプレンゴム、シリコーンゴム、塩化ビニル系樹脂、熱可塑性エラストマー樹脂、ＥＰＤＭ系樹脂などを挙げることができる。好適にはシリコーンゴムである。
【００４２】
ガスケット３０は、補助方立２０とガラス１０の外周部との間に介在されており、ガラス１０の外周部が嵌合する係止溝部３１と、受け部２１に当接する耐圧部３２と、係合部２３（実施例においてはフック部２５を含めて）と係合する係合溝部３３と、室外側面に形成されたジッパー嵌入溝３４とを有する。また、係合部２３の両側は、係合溝部３３を形成する第１抱持部３５Ａおよび第２抱持部３５Ｂによって抱き抱えられている。
【００４３】
このガスケット３０の係止溝部３１内には、ガラス１０の外周部が嵌入され、前記係合溝部３３に補助方立２０の係合部２３およびフック片２５が係合され、耐圧部３２が受け部２１に当接され、図５に示すように、ジッパー嵌入溝３４内にジッパー３６が嵌入されている。
【００４４】
かかるパネルの保持装置においては、図５の１〜３に示す順序で組み付けることができる。すなわち、第２抱持部３５Ｂを張出部２４、係合部２３および第２フック部２５Ｂで囲まれる領域内に嵌めながら、第１抱持部３５Ａを支持壁部２２、係合部２３および第１フック部２５Ａで囲まれる領域内に嵌め込んで、同時に耐圧部３２を受け部２１に当接させる。次いで、ガスケット３０の係止溝部３１を開いてガラス１０を挿入して係止溝部３１内にした後、ジッパー３６をジッパー嵌入溝３４内に嵌入する。
【００４５】
かくして、ガラス１０に対して、室外から室内方向への正圧または逆の負圧作用時において、ガスケット３０よりガラス１０を好適に保持できる原理については、本出願人の特開平８−１７０３９１号公報の段落番号００４１〜００４２の記載がそのままこれに引用される。
【００４６】
このような直交的に隣接するガラス１０，１０をガスケット３０，３０を介して共通の補助方立２０が保持する場合、ガスケット３０，３０間において、このままでは補助方立２０が外部に露出し、可能な限り枠材を外部に露出させない目的が損なわれる。
【００４７】
そこで、カバー７０が補助方立２０の外部に止着される。このために、補助方立２０のガスケット３０，３０の離間領域において、両側部にそれぞれ縦通しのリップ溝片２８，２８，２８，２８が室外に突出して形成されている。リップ溝片２８，２８間はリップ溝部が形成されている。また、ガスケット３０側のリップ溝片２８，２８は、ガスケット３０の側面を保持する張出部２４を兼用している。
【００４８】
カバー７０の幅方向両端部には裏面側の縦通しで形成された脚部７１，７１が突出して形成されており、これらの脚部７１，７１がリップ溝部内に係合して止着されている。
【００４９】
また、図示から判るように、カバー７０の両側面は、ガスケット３０，３０と接触するように配置され、相互の境界面が当接している。したがって、たとえばガラス１０の負圧が作用したときにおいてガスケット３０が室外方向に捲れる方向に変形するのを、張出部２４（リップ溝片２８）とともにカバー７０の側面が保持する。よって、カバー７０は補助方立２０を隠すとともに、ガスケット３０の変形防止機能をも有する。
【００５０】
ところで、補助方立２０は、図６に示されているように、無目４０，４０間に配置されて、主方立２００に固定される。出隅部における無目４０，４０の端部は、図１に示されているように、主方立２００に平面視でほぼＬ字状のブラケット２０１の中央をボルト２０２により固定し、そのブラケット２０１の端部に無目４０の端部をボルト２０３により固定することにより、支持している。
【００５１】
補助方立２０の主方立２００に対する固定は、図７に詳細が示されているように、ボルト２０４およびナット２０５を用いて行われる。すなわち、ボルト２０４の頭部を主方立２００の室外側に形成したリップ溝部内に係合し、その側部においてナット２０５を用いて、補助方立２０を主方立２００側に押し付けて固定するものである。このナット締結作業のために、補助方立２０の長手方向の一部に切欠部２０ａが形成され、この切欠部２０ａを通してナット締め付け作業が行われる。この作業後、切欠部２０ａはカバー２０ｂによって覆われる。
【００５２】
（中間外壁の形態）
図８および図９に、外壁の上部および下部構造を図示した。これらの構造を、図３および図４に示す構造とともに概説すると、方立５０の両側部にはＬ字状のブラケット８０，８０がボルト８１締結により固定され、無目４０の室内側に形成したリップ溝部に固定ボルト８２の頭部が係合され、その足部をブラケット８０の他片に挿通しナット８３で固定して、無目４０を固定してある。
【００５３】
方立５０の室外側面の中央から室外に向かって長く中央壁５１が形成され、この中央壁５１の両側に押縁６０，６０が係止固定されている。この押縁６０，６０が係止固定の詳細は次の第２の実施の形態において詳説する。
【００５４】
また、中央壁５１の先端部は、ガラス１０，１０の外周端面に対応する離間した位置まで延在して前述の支持壁部（２２）を形成しており、中央壁５１の先端から枠材で囲まれる領域の内方に突出して前記外周端面側に向かう係合部２３，２３が形成されている。この係合部２３は、図５の形状と同一であるので、改めて説明をしない。ガスケット３０はその係合部２３とともに押縁６０の受け部６１（前述の受け部２１に相当する）によって保持されている。したがって、方立５０の支持壁５１は共通の縦枠を構成し、かつ隣接するガスケット３０，３０を共通に保持している。
【００５５】
無目４０についても同様であり、図４を参照すればその形態は明確であるので説明を省略する。
【００５６】
（第２実施の形態）
図１０は、外壁の端部構造についての第２の実施の形態を図示するものである。中間外壁と同一の方立５０が躯体１に対して固定されている形態が明示されている。躯体１にはＬ字状ファスナー２がボルト３固定され、そのＬ字状ファスナー２にブラケット４がボルト５固定され、そのブラケット４のボックス部に方立５０が外挿され、ボルト６により固定されたものである。
【００５７】
方立５０は室外側面の中央から室外に向かって長く中央壁５１が形成され、この中央壁５１の外壁中央側に押縁６０が係止固定されている。また、中央壁５１の先端部は、ガラス１０，１０の外周端面に対応する離間した位置まで延在して前述の支持壁部（２２）を形成しており、中央壁５１の先端から枠材で囲まれる領域の内方および外壁端側に突出して前記外周端面側に向かう係合部２３，２３が形成されている。この係合部２３は、図５の形状と同一であるので詳述はしない。
【００５８】
ガスケット３０はその係合部２３とともに押縁６０の受け部６１（前述の受け部２１に相当する）によって保持されている。
【００５９】
他方、中央壁５１の中間側部には、Ｔ字状のフック受け部５２が形成され、このフック受け部５２に押縁６０のフック部６２が係止され、さらに第２フック部６３を方立５０に係止し、最終的にビス６４などにより中央壁５１に固定することにより、押縁６０を方立５０に係止固定してある。
【００６０】
この形態によれば、中間外壁の方立と外壁端部の方立とを共用できる。その反面、中央壁５１から外壁端部側に係合部２３が突出することになり、なんからの目隠しが必要となる。このために、方立５０の中央壁５１（支持壁部をも構成する）を挟んで押縁６０の反対側において方立カバー６５が方立５０の中央壁５１に、押縁６０の場合に同様に係止固定されている。
【００６１】
この方立カバー６５は、室外面まで延在しており、ガスケット３０の室外側側面に当接する当たり部６５Ａが形成されている。この当たり部６５Ａは、前述のカバー７０の側面と同様に、たとえばガラス１０の負圧が作用したときにおいてガスケット３０が室外方向に捲れる方向に変形するのを、抑制してそれ以上のガスケット３０の変形を防止し、ガスケット３０が外れるのを防止する機能を有する。また、方立カバー６５の室外側部分は室外に露出して、ガスケット３０と躯体壁との間の化粧部材として機能する。
【００６２】
ここで、図示例は躯体壁に隣接している例であるが、隣接していない場合などにおいて、方立カバー６５の全体またはほぼ全体が露出していてもよい。方立カバー６５には他の部材の取り付け用部材として利用することもできる。
【００６３】
（第３の実施の形態）
図１１は、外壁の入隅構造についての第３の実施の形態を図示するものである。この例は出隅の構造と類似している。
【００６４】
すなわち、主方立２００に、第１の実施の形態の補助方立２０と同様に、補助方立９０が固定さている。補助方立９０は、基本的には横断面方形の主体部９６と、繋ぎ部９７と、この繋ぎ部９７の先端において各種の係止部を有する方形の延在部を有した形状をなしている。
【００６５】
主体部９６の室外側端部両側の２か所から受け部９１，９１が、ガラス１０の周囲の室内側に離間した位置にまで突出して形成されており、さらに繋ぎ部９７の室外側端部から分岐して少なくともガラス１０，１０の外周端面に対応する離間した位置まで延在する延在壁９２Ａ，９２Ａが形成され、これらの延在壁９２Ａ，９２Ａからさらにガラス１０方向に延びて、枠材で囲まれる領域の内方に突出してガラス１０外周端面側に向かう係合部９３，９３（係合部２３と同一形状）が形成されている。係合部９３，９３の根元部には、第１抱持部３５Ａを支える支持壁部９２Ｂがガラス１０と直交する方向に室内側に突出している。
【００６６】
さらに延在壁９２Ａ，９２Ａの端部から、ガラス１０と直交する方向に室外側に突出して反力部９４，９４が形成されており、両者は延在壁９２Ａ，９２Ａとともに方形の延在部を構成している。
【００６７】
ガスケット３０は、係合部２３に係合されるとともに、室内側面を受け部９１に当て、室内側側面を支持壁部９２Ｂに当て、室外側側面を反力部９４に当てた状態で、補助方立９０に保持されている。このガスケット３０に対してガラス１０が同様に係止されている。
【００６８】
ガスケット３０，３０は隣接して配置され、相互に実質的に隙間を有しないで配設されている。したがって、入隅部において、ガスケット３０，３０は連続化しているような外観を示すことができる。
【００６９】
前記の反力部９４は、前述のカバー７０の側面や方立カバー６５の当たり部６５Ａと同様に、たとえばガラス１０の負圧が作用したときにおいてガスケット３０が室外方向に捲れる方向に変形するのを、抑制してそれ以上のガスケット３０の変形を防止し、ガスケット３０がガラス１０と共に外れるのを防止する機能を有する。
【００７０】
【発明の効果】
以上の通り、本発明によれば、出隅や入隅部分、さらには外壁の端部などの部位において、ガラスなどのパネルを安定して保持できる。
【図面の簡単な説明】
【図１】出隅部における第１の実施の形態の水平断面図である。
【図２】外壁の中間部分の室外からの視図である。
【図３】図２の３−３線矢視図である。
【図４】図２の４−４線矢視図である。
【図５】図１の部分拡大水平断面図である。
【図６】出隅部分における無目近傍の縦断面図である。
【図７】図１の要部水平断面図である。
【図８】外壁上部構造の縦断面図である。
【図９】外壁下部構造の縦断面図である。
【図１０】外壁の端部構造のみを示す第２の実施の形態に係る水平断面図である。
【図１１】外壁の入隅部構造を示す第３の実施の形態に係る水平断面図である。
【符号の説明】
１０……ガラス（パネル）、２０…補助枠材、２１…受け部、２２…支持壁部、２３…係合部、２４…張出部、２５，２５Ａ，２５Ｂ…フック部、３０…ガスケット、３１…係止溝部、３２…耐圧部、３３…係合溝部、３４…ジッパー嵌入溝、３５Ａ，３５Ｂ…抱持部、３６…ジッパー、４０…無目、５０…方立、６０…押縁、６５…方立カバー、７０…カバー、９０…補助方立、２００…主方立。
【図１】
0003596845.tif 000002
【図２】
0003596845.tif 000003
【図３】
0003596845.tif 000004
【図４】
0003596845.tif 000005
【図５】
0003596845.tif 000006
【図６】
0003596845.tif 000007
【図７】
0003596845.tif 000008
【図８】
0003596845.tif 000009
【図９】
0003596845.tif 000010
【図１０】
0003596845.tif 000011
【図１１】
0003596845.tif 000012